(57)【要約】【解決手段】  航空機用タキシー計画システム(10)は、タキシー計画の入力や選択を素早く簡単に行なうための直感的ユーザインターフェイスを提供する。本システムは、予め定義された限定した選択メニューを含み、このメニューはパイロットに利用可能なタキシー経路を提示して選択を促す。予め定義された標準ルートによって、パイロットは最低限のキーストロークと最短の時間でタキシールートを選択できる。表示スクリーン(12A)は、選択メニューと標準ルートをパイロットに提供し、パイロットはわずか一回のキーストロークで選択を行う。リンクされたリストを含むデータベース(13)によって、システムは、空港の種々の滑走路やタキシーウェイ、ゲート、ランプ、他の空港構造物を表すことができる柔軟なものとなっている。選択されたタキシールートは、ヘッドダウンディスプレイやヘッドアップディスプレイ、飛行管理コンピュータ、通信システム等の他の航空機システムに送られる。
2005512178.tif 000002
【特許請求の範囲】
【請求項１】
航空機タキシー計画システムであって、
表示スクリーンと選択インプットを含むユーザインターフェイスと、
空港タキシーデータを記憶するデータ記憶装置と、
前記表示スクリーン及び前記選択インプットに接続されたプロセッサと
を含み、前記プロセッサが使用可能なタキシー区間のメニューを前記空港タキシーデータの関数として生成し、前記タキシー区間が航空機の位置として適切であり、前記メニューを前記表示スクリーンに伝達する、航空機タキシー計画システム。
【請求項２】
前記空港タキシーデータが滑走路データ、タキシーウェイデータ、及びゲートデータを含む、請求項１に記載の航空機タキシー計画システム。
【請求項３】
前記データ記憶装置が予め定義された標準タキシールートを記憶する、請求項１に記載の航空機タキシー計画システム。
【請求項４】
前記空港タキシーデータがリンクされたリストとして記憶される、請求項１に記載の航空機タキシー計画システム。
【請求項５】
前記少なくとも一種の他の航空機システムがヘッドダウン表示システムを含む、請求項１に記載の航空機タキシー計画システム。
【請求項６】
前記少なくとも一種の他の航空機システムがヘッドアップ表示システムを含む、請求項１に記載の航空機タキシー計画システム。
【請求項７】
前記少なくとも一種の他の航空機システムが、電子飛行計器システム、ヘッドアップディスプレイ、トランスポンダ、及び無線通信システムから成る群から選ばれる、請求項１に記載の航空機タキシー計画システム。
【請求項８】
前記ユーザインターフェイスが多機能コントロール表示ユニットを含む、請求項１に記載の航空機タキシー計画システム。
【請求項９】
前記プロセッサが飛行管理コンピュータを含む、請求項１に記載の航空機タキシー計画システム。
【請求項１０】
航空機タキシー計画方法であって、
空港における航空機の位置を示す航空機位置データを受け取る段階と、
前記航空機位置データに適した第一のタキシー区間メニューを生成する段階と、
前記第一のタキシー区間メニューから選択したタキシー区間を示すタキシー区間選択信号を受け取る段階と、
前記選択したタキシー区間に適した第二のタキシー区間メニューを生成する段階と、
前記選択したタキシー区間を示すタキシー経路を生成する段階と、
前記タキシー経路を示すタキシー経路信号を表示システムに伝達する段階と
を含む、方法。
【請求項１１】
前記空港における目的地の位置を示す航空機目的地データを受け取る段階を更に含む、請求項１０に記載の航空機タキシー計画方法。
【請求項１２】
第一の生成段階が標準タキシールートの生成を含む、請求項１０に記載の航空機タキシー計画方法。
【請求項１３】
メニューを生成する段階が空港タキシーデータのリンクされたリストを検索することを含む、請求項１０に記載の航空機タキシー計画方法。
【請求項１４】
前記リンクされたリストがタキシーポイントテーブルを含む、請求項１３に記載の航空機タキシー計画方法。
【請求項１５】
前記リンクされたリストがタキシー経路ＩＤテーブルを含む、請求項１３に記載の航空機タキシー計画方法。
【請求項１６】
前記タキシー経路を地上コントロールシステムに送信する段階を更に含む、請求項１０に記載の航空機タキシー計画方法。
【請求項１７】
前記リンクされたリストがポイントタイプフィールドを含む、請求項１３に記載の航空機タキシー計画方法。
【請求項１８】
前記ポイントタイプフィールドが「待機」値を含む、請求項１７に記載の航空機タキシー計画方法。
【請求項１９】
前記「待機」値に関連するタキシーポイントに前記航空機が近づいた時に、パイロットに行動を起こすことを要請する段階を更に含む、請求項１８に記載の航空機タキシー計画方法。
【請求項２０】
前記表示システムがヘッドダウンシステム及びヘッドアップシステムから成る群から選択される、請求項１０に記載の航空機タキシー計画方法。
【発明の詳細な説明】
【技術分野】
【０００１】
本発明は、航空機地上誘導システム（ＳＧＳ、surface guidance systems）に関し、特に、空港における航空機の所望のタキシー経路を迅速に選択するためのメニュー構造を含むユーザインターフェイスに関する。
【背景技術】
【０００２】
航空機の地上誘導の分野を向上させることには、多大な関心が寄せられている。航空機が空港の滑走路に着陸すると、次のステップは航空機を乗客乗降ゲート等の所定の目的地までタキシングすることである。空港を構成する多数の滑走路やタキシーウェイ、ランプ、建物に囲まれて、パイロットは混乱したり迷ったりしがちである。この問題は、大空港でより深刻であり、多数の照明灯のため航空機を所定の目的地までタキシングさせるのがより難しくなる夜間は特に深刻である。
【０００３】
効率的なタキシングを行なえば、時間とコストが節約される。空港が混雑するにつれ、航空機が滑走路とゲートの間のタキシングに多大な時間を費やすことが多くなっている。パイロットが間違ったターンをしたり、迷ったり、滑走路やタキシーウェイを間違えたりした場合は、タキシング時間は更に長くなる。更には、間違ったターン或いは走行ミスは、空港内の他の航空機に遅れを生じる。
【０００４】
空港地上誘導能力の主要な特徴として、空港の地図をパイロットが容易に利用できる形態で示す機能がある。この空港地図を表示する従来のアプローチとしては、パイロットの視野の前方に表示を行なうヘッドダウンディスプレイ（ＨＤＤ、head-down display）上に該情報を表示するアプローチがある。パイロットは通常、地上管制官によって許可されたタキシー経路を入力或いは選択する。ディスプレイは、航空機の現在位置を示し、また、タキシー経路も空港地図に重ねて表示される。このディスプレイによって、パイロットは選択したタキシー経路に対して航空機の位置を認識できる。地上誘導を目的としてアビオニクスを実地に導入するためには、一般に、パイロット或いはクルーが航空交通管制（ＡＴＣ、air traffic control）無線通信タキシー指示を、航空機搭載のＳＧＳシステムへ直感的且つ迅速に入力できるようにするためのユーザインターフェイスをどのように設けるかが鍵となる。
【発明の開示】
【発明が解決しようとする課題】
【０００５】
地上誘導を操作面から見て満足できるものとするためには、タキシー指示を航空機地上誘導システムへ入力する直感的且つ迅速な手段を航空機のクルーに提供すると共に、この操作をパイロット／クルーが精通している通常の航空機の操作に統合することが必須である。地上誘導を行なうための従来の試みにおいては、タキシー計画の段階とエンルート計画プロセスとは別個のものとされていた。このことは通常、航空会社や航空機の操縦士にとって訓練上の大きな負担となっている。
【０００６】
航空機タキシー計画システムとは、単にタキシー指示を受け取るタスクを行なうだけではなく、ユーザインターフェイスを直感的にわかりやすいものとして、訓練時間を最短にするのに適したものでなければならない。また、迅速なタキシールートの選択を容易にし、且つ入力エラーを最小にするものであることが望ましい。
【０００７】
従って、コストを下げ、タキシーエラーを減じ、訓練時間を減じ、タキシング時間を減じ、更には空港の効率を改善する方法を見出すという目標が引き続き存在する。
【課題を解決するための手段】
【０００８】
上に述べた目標や他の目標を達成するために、本発明のタキシー計画システムは、独自のユーザインターフェイスと、空港の滑走路やタキシーウェイを記述する情報を含むデータベースとを有する。本発明は、タキシー計画プロセスとエンルート計画プロセスとを統合し、類似の手順を使用する。このことにより、直感的なユーザインターフェイスが得られ、更には、操作面から見て受け入れ可能な方法でタキシー計画が行なえるようにして、クルーの訓練時間と訓練コストを大幅に減じる。本発明のデータ入力技術を使用することにより、タキシー計画コマンドの入力に必要とされる時間を最短にできるだけでなく、タキシー計画エラーも最小にできる。
【０００９】
本発明の一様相においては、タキシー計画システムが、航空機のエンルート計画機能を提供するフライトマネジメントシステム（ＦＭＳ、flight management system）に対する拡張として統合される。本発明のページフォーマットは、エンルート計画用にＦＭＳで用いられているページフォーマットの拡張であるのが好ましい。従って、直感的であり、且つパイロットやクルーが容易に学べるものである。
【００１０】
本発明の別の様相においては、選択メニューを用いて、タキシールートの入力を簡略化すると共に、エラーを減少させる。本発明では、航空機の現在位置（例えば、滑走路、或いはゲート）が提供される。この情報は、パイロットによって予め入力されたものであるか、或いは他の航空機システムから受け取ったものである。本システムには、目的地（例えば、滑走路２７Ｒ、或いはゲートＡ２５）が提供されるのが好ましい。本発明は、この初期情報を用いて現在位置に対応する有効なタキシー選択肢を検索し、それらをメニューとしてパイロットに対して表示する。パイロットがタキシー経路内のある区間（leg）を選択すると、スクリーンはスクロールアップされ、次に有効なタキシー区間選択肢の新しいメニューが現れる。このプロセスは、タキシー計画が完成するまで迅速に進められる。別の実施形態においては、予め定義された標準ルートがメモリに記憶され、選択できるようになっている。更に別の実施形態においては、予め定義された標準的なタキシールートを、ＡＴＣからデータリンクを介して受け取るようになっている。
【００１１】
本発明の更に別の様相は、本発明の実施に用いられるデータベース構造である。このデータベース構造には、リンクされたリストを使用するのが好ましく、このリストは種々の空港構成に対応できるように柔軟性を有している。このデータベースは、プログラムソフトウェアを変更することなしに、頻繁にアップデートできる。本発明には、二種のデータテーブルから作られるリンクされたリストを使用するのが更に好ましい。
【００１２】
本発明が、従来技術システムに対する大幅な改良であることは明らかである。更に、当業者は、本発明はＦＭＳと共に用いられる場合に限定されないことを認識した。本発明を実施するために、他のプロセッサや表示スクリーン、データ入力デバイスを使用することができる。
【００１３】
本発明の更なる特徴や利点については、以下の詳細な説明において記載する。本発明の一部は、その記述から当業者には容易に分かるものであり、また、次の詳細な説明、請求項及び添付の図面によって説明されたように本発明を実施することにより認識されるであろう。
【００１４】
上の記載は、本発明の例示にすぎず、請求項で定義される本発明の本質と特徴の理解のための概要を提供することを意図するものであることが理解されよう。添付の図面は、本発明の更なる理解を提供するためのものであり、本明細書に組み込まれ、その一部を構成するものである。図面は、本発明の種々の特徴と実施形態を示すものであり、それらについての説明と共に本発明の原理と動作を説明する。
【発明を実施するための最良の形態】
【００１５】
本発明の好ましい実施形態の詳細を次に記述するが、その実施例は添付の図面に示される。全ての図面を通じ、可能な限り、同一の或いは類似の部材には同一の参照番号が用いられている。
【００１６】
本発明に係るタキシー計画システムの例示的実施形態を図１に示す。図においてシステム全体を参照番号１０で表わす。
【００１７】
本発明に係るタキシー計画システムの構成要素を、まず最初に簡単に説明し、後に詳細に説明する。本発明の最も一般的な用途は、統合された構成要素として、商用旅客機や貨物ジェット機等の航空機のＦＭＳに用いることである。従って、以下に本発明を、そのようなアプリケーションに関連して説明する。
【００１８】
図１に、本発明に係るタキシー計画システムの一実施形態と、関連する航空機システムのブロックダイアグラムを示す。いかなる航空機システムにも本発明を含ませることができるため、それらシステムを総称してタキシー計画システム１０と呼ぶ。タキシー計画システム１０は、飛行管理コンピュータ（ＦＭＣ、flight management computer）１１、多機能コントロール表示ユニット（ＭＣＤＵ、multifunction control display unit）１２、航法データベース（ＮＤＢ、navigation database）１３、ヘッドアップディスプレイ（ＨＵＤ）１４、電子飛行計器システム（ＥＦＩＳ）１５、マルチモードレシーバ（ＭＭＲ、multi mode receiver）１６、トランスポンダ１７、及び通信管理ユニット（ＣＭＵ、communications management unit）１８を含むことができる。ＦＭＣ１１とＭＣＤＵ１２の両方をまとめて、飛行管理システム（ＦＭＳ）と総称する。
【００１９】
ＦＭＣ１１は、プロセッサ１１Ａとメモリ１１Ｂを含む。プロセッサ１１Ａは、コマンドやデータを受け取り処理するのに適したものであれば、いかなるデータプロセッサでもよい。プロセッサ１１Ａは、必要とされるＦＭＳ及びタキシー計画タスクをリアルタイムで処理するのに十分なスループットを有するマイクロプロセッサであるのが好ましい。メモリ１１Ｂは、動的データと変数を記憶するＲＡＭ（random access memory）と、プログラムデータと静的データを記憶するＲＯＭ（read-only memory）の両方を含むのが好ましい。プロセッサ１１Ａはメモリ１１Ｂと接続されており、プログラム命令とデータを読み出すと共に、変数を操作し記憶する。プロセッサ１１Ａは、ＮＤＢ１３とも接続される。
【００２０】
ＮＤＢ１３は、空港タキシーデータを含む。このデータは、要望に応じて、空港の滑走路やタキシーウェイ、ゲート、ランプ、空港の他の種々の構造物を記述するものである。空港タキシーデータは、リンクされたリスト１３Ａとして記憶され、標準タキシールート１３Ｂも、データベースに記憶される。空港タキシーデータは、滑走路の位置と幅を表す滑走路データやタキシーウェイの位置を表すタキシーウェイデータ、ゲートの位置と向きを表すゲートデータ等のデータを含む。ＮＤＢ１３は、書き換え可能或いは置換え可能であるのが好ましく、これにより空港データが必要に応じて簡単にアップデートでき、空港の滑走路やタキシーウェイ等の変更に関してデータを最新のものとすることができる。ＮＤＢ１３は、ＰＲＯＭやＥＰＲＯＭ、ＥＥＰＲＯＭ、磁気ディスクドライブ、光学ディスクドライブ等の種々の記憶保存テクノロジー、或いはこれらと共に類似のデバイスを各種組合せることによって構成される。次に説明するリンクされたリストは、ＮＤＢ１３に記憶するのが好ましい。
【００２１】
ユーザインターフェイスは、ＭＣＤＵ１２によって提供されるのが好ましい。ＭＣＤＵ１２はＦＭＣ１１やプロセッサ１１Ａと接続されている。ＭＣＤＵ１２は、表示スクリーン１２Ａ、ライン選択キー１９、及びキーパッド１２Ｂを含む。ＭＣＤＵ１２は一般に、エンルート飛行計画コマンドをＦＭＣ１１に入力したり、パイロットやクルー、オペレータに対してエンルート飛行データを表示スクリーン１２Ａを介して出力したりするのに使用される。ライン選択キー１９の操作により、表示された項目を短時間で選択したり削除したりできる。本発明は、空港での地上走行に関するユーザインターフェイスを提供するために、この既存のユーザインターフェイスを用いるのが好ましいが、他のインターフェイスも本発明を実施するために用いることができる。例えば、ＥＦＩＳ１５或いはＨＵＤ１４等の他のディスプレイも、所望によりユーザインターフェイスの一部として使用することができる。
【００２２】
図示のように、ＨＵＤ１４とＥＦＩＳ１５は、タキシー経路信号１１Ｃを介してＦＭＣ１１と接続されている。タキシー経路信号１１Ｃは、選択したタキシー経路を表すデータを含む。ＨＵＤ１４は、像をパイロットの視線の先に配置されたコンバイナに投影し、パイロットが投影像を見るのと同時に、航空機のフロントガラスから外を見ることができるようにする。ＥＦＩＳ１５（ＨＤＤとも呼ばれる）は、通常、航空機のフロントガラスの下に配置される。ＥＦＩＳ１５は、一以上のディスプレイスクリーンを含み、これらのディスプレイは通常、ＣＲＴ（cathode ray tubes）や平面パネルディスプレイ、類似の機能を有するディスプレイを用いて実施される。タキシー計画を選択すると、その計画はパイロットに対して、ＨＵＤ１４或いはＥＦＩＳ１５上に表示されるのが好ましい。
【００２３】
通信システムも複数種、ＦＭＣ１１に接続されている。ＭＭＲ１６は、全地球的測位システム（ＧＰＳ、global positioning system）信号やディファレンシャルＧＰＳ（ＤＧＰＳ）、狭域補強システム（ＬＡＡＳ、local area augmentation system）信号、広域補強システム（ＷＡＡＳ、wide area augmentation system）信号等の航行或いは位置信号を受信する。これらの信号はＦＭＣ１１に送られ、ＦＭＣ１１で航空機の空港施設に対する位置が決定される。この航空機位置情報は、パイロットに対する適切なタキシー選択オプションを計算するために使用される。
【００２４】
トランスポンダ１７とＣＭＵ１８は、更なる入出力通信チャンネルを提供する。例えば、トランスポンダ１７は、放送型ＡＤＳ（ＡＤＳ−Ｂ、automatic dependent surveillance broadcast）等の信号を、他の航空機或いはＡＴＣから受信する。ＣＭＵ１８は、ＡＴＣ或いは類似の管制権限を有するものとのデータリンクを含み、このデータリンクを介して、タキシー計画や指示が送られ、交渉され、変更され、認可又は拒否される。
【００２５】
図２〜５にユーザインターフェイスを示す。ユーザは、図２に示す出発／到着インデックスページを介して本発明にアクセスするのが好ましい。図２には、表示スクリーン１２Ａとライン選択キー（ＬＳＫ、line select keys）１９が示されている。ライン選択キー１９は、１Ｌ〜６Ｌと１Ｒ〜６Ｒとして個々に識別され、所望のオプションを選択するために用いられる。パイロットはタキシー計画ページにアクセスするために、ライン選択キー２Ｌ、２Ｒ、或いは４Ｒのいずれかを操作する。図２の表示は、ＫＪＦＫからＫＭＥＭへの飛行準備をしている航空機のものである。滑走路への出発タキシー経路を計画するためには、ＬＳＫ  ２Ｌを操作する。例えば、航空機がＫＪＦＫへと戻ることを強いられる場合には、ＬＳＫ  ２Ｒを選択し、ゲートへと戻るタキシー経路を計画する。目的地の空港であるＫＭＥＭにおける滑走路からゲートへと向かう到着タキシー経路を計画するためには、ＬＳＫ  ４Ｒを選択する。ＬＳＫ  ２Ｌを操作すると、スクリーンは図３に示されるＫＪＦＫの出発タキシーページへと進む。
【００２６】
出発タキシーページが表示されると、現在のゲート位置と目的地の滑走路とが最初に得られる。この情報は、メモリから呼び出すこともでき、他の航空機システムから受け取ることもでき、パイロットが別のＦＭＳページから入力することもでき、或いはパイロットが現在のページから入力することもできる。この情報が入力されていない場合は、パイロットは、まず使用可能なゲートのメニューを介してゲートの位置を入力し、その後、使用可能な滑走路のメニューを介して滑走路の位置を入力するように促される。或いは、パイロットは、ＭＣＤＵのスクラッチパッドからゲートや滑走路の情報を入力することもできる。ゲートと滑走路が決まると、システムはＮＤＢ１３にアクセスし、使用可能なタキシーウェイ及び／又は接続路のメニューを計算し、スクリーン１２上のＬＳＫ１９の隣にそれらを表示する。使用可能なタキシーウェイ及び／又は接続路のメニューから選択を行なう毎に、「ＴＯ」ヘッダーの下に次に使用可能な選択肢のメニューが新たに現れる。選択した項目はハイライトされ、「ＴＯ」ヘッダーが下位に移動し、「ＴＯ」ヘッダーの上方に選択した項目用の場所を作る。このページは、適切な情報を表示するためにスクロールアップ或いはスクロールダウンする。ハイライトされた項目を再び選択すると、その項目用のメニューが再び作られ、再選択した項目の下側の以前の項目が削除される。このプロセスは、目的とする滑走路に到達するまで続けられる。ゲートデータと滑走路データの両者が得られると、ＬＳＫ  ５Ｒの隣に、「標準ルート」選択肢が表示される。標準ルートを選択すると、予め定義されたタキシー経路のメニューが自動的に選択され、一回のキーストロークで現在位置から目的地までのタキシー経路を選択できる。適切なメニュー選択肢の決定は、下に説明するリンクされたリストとアルゴリズムを用いて行なうのが好ましい。
【００２７】
図４に、本発明の一実施形態による到着ページを図示する。この到着ページは、図２に示した出発／到着インデックスページ上のＬＳＫ  ４Ｒを操作することによりアクセスできる。滑走路とゲートの情報は、上述のように決定される。プロセッサ１１ＡはＮＤＢ１３にアクセスし、使用可能なタキシーウェイと接続路のメニューを計算する。各メニューから選択をする毎に、使用可能なタキシー選択肢の新しいメニューが計算され、「ＴＯ」ヘッダーの下に表示される。選択した項目はハイライトされた状態となり、「ＴＯ」ヘッダーが下位に移動し、選択した項目用の場所が作られる。ハイライトされた項目を再び選択すると、その項目用のメニューが再び作られ、再選択した項目の下側の以前の項目が削除される。滑走路データとゲートデータとが得られると、「標準ルート」プロンプトが表示される。
【００２８】
図５に、使用可能なタキシーウェイと接続路のメニューの例を示す。
【００２９】
図に示すように、使用可能なタキシーウェイの選択肢は交差点Ｌ５やＬ６、Ｍ４、Ｍ５を含む。種々の滑走路やタキシーウェイ、接続路等には文字と数字が割り当てられる。これらは空港毎に独自のものであり、ＮＤＢ１３内のリンクされたリスト１３Ａに記憶される。
【００３０】
本発明の他の一様相は、本発明のタキシー計画システムを実施するために用いられるデータベースである。このデータベースは、各空港の空港タキシーデータを記憶する。本発明の本様相を実施するためには、リンクされたリストを使用するのが好ましい。図６Ａ、６Ｂ、及び７に、リンクされたリストを示す。二種のデータテーブルは互いにリンクされている。第一のテーブルはタキシー経路ＩＤテーブル（ＴＰＩＤＴ、Taxi Path ID Table）７１であり、タキシー経路ＩＤレコード（ＴＰＩＤＲ、Taxi Path ID Records）６１を含む。
【００３１】
ＴＰＩＤＲ６１は、識別子フィールド６１Ａ（滑走路を表わす３６Ｌ、ゲートを表わすＡ１６、タキシーウェイ接続路を表わすＬ５等）を含む。タキシータイプフィールド６１Ｂは、その経路が滑走路やタキシーウェイ、ランプ、ゲート、或いは類似の空港エリアのいずれであるかを特定する。ポインタフィールド６１Ｃは、タキシーポイントテーブル（ＴＰＴ、taxi point table）７２中の、このタキシー経路ＩＤに対応するタキシーポイントを含むタキシーポイントレコード（ＴＰＲ、taxi point records）６２へのリンクである。ナンバーフィールド６１Ｄは、このタキシーＩＤに関するタキシーポイント数をプログラムに伝える。
【００３２】
第二のテーブルは、ＴＰＴ７２であり、ＴＰＲ６２を含む。各ＴＰＲ６２は、ポイントの水平方向位置を正確に特定するための緯度フィールド６２Ａと経度フィールド６２Ｂを含む。幅フィールド６２Ｃは、そのポイントにおける舗装路の幅を特定する。標高フィールド６２Ｄは、そのポイントの標高を含む。この標高は、絶対標高であっても、空港の基準位置や目標物に対する相対的な標高であってもよい。ポイントタイプフィールド６２Ｅは、ポイントを特定の特徴に関して識別する。例えば、湾曲した表面或いは真直ぐな表面の一部分や待機ポイント、ゲート等である。ある種のポイントは、特定の動作を引き起こす。例えば、待機ポイントに達すると、システムはパイロットに対して、先に進む前に待機を確認するように促す。この動作は、パイロットがライン選択キー１９を操作することにより待機を確認するまで、表示スクリーンの進行、即ちスクロールを停止することにより行なうのが好ましい。
【００３３】
タキシーポイントレコードは、別のリンク６３Ｆを含む。このリンク６３Ｆは、「ＴＰＩＤＴ７１中のレコードに対するポインタ」という名前がつけられている。このフィールドは複数のリンクを含むことができる。例えば、航空機が滑走路上にいる場合は、通常、タキシーウェイへの多数の接続路が存在する。このポインタフィールドを用いることにより、プロセッサ１１Ａは、使用可能なタキシーウェイと接続路を短時間で特定でき、メニューの表示のために、タキシー区間の適切なメニューを構築する。
【００３４】
二種のテーブル間でリンクされたリストを図７に示す。ＴＰＩＤＴ７１中の各レコードはＴＰＴ７２中の一種のレコードへのリンクを含む。これらはリンク７１Ａと７１Ｂによって示されている。同様に、ＴＰＴ７２中のレコードの多くは、ＴＰＩＤＴ７１に対する複数のリンクを含む。これらはリンク７２Ａと７２Ｂによって示され、レコードＴＰＲ  １からレコードＴＰＩＤＲ  ４とＴＰＩＤＲ  Ｎ−３への二種のリンクを示している。
【００３５】
リンクされたリスト構造の使用により、本発明は短時間で適切なタキシーオプションを特定できるようになり、パイロットは、ＮＤＢ１３内のタキシーポイントを含むタキシー計画を短時間で立てることができるようになる。
【００３６】
本発明の方法を、フローチャート８０を用いて図９に示す。本方法は、「スタート」ブロック８１から開始され、空港での航空機の現在位置を受け取るブロック８２へと進む。この段階はパイロットがデータを入力することによって行なわれるのが好ましい。パイロットはこのデータを、目的地である空港へのエンルート中に入力することもできる。この段階は、類似の方法によって目的地の位置を受け取ることを含むこともできる。また、このデータは、ＡＴＣへの自動データリンクによって受け取ることもでき、ＧＰＳ等の位置決定システムからの位置データに基づいて決定することもできる。
【００３７】
本方法はブロック８３へと進む。このブロックでは、関連するタキシー経路ＩＤレコードがＮＤＢから取り出される。例えば、航空機が滑走路２７Ｒ上にいる場合は、２７Ｒに関するタキシー経路ＩＤレコードが取り出される。タキシー経路ＩＤは、関連するタキシーポイントレコードへのポインタを含む。このタキシーポイントレコードは、例えば、滑走路の位置ポイントや幅等のデータを含む。
【００３８】
ブロック８４では、上記の関連したタキシーポイントレコードが取り出される。これらのタキシーポイントレコードは、使用可能なタキシーウェイと接続路へのポインタを含むが、これらのタキシーウェイと接続路は、特定のタキシーポイントについての適切なタキシー区間である。本方法はブロック８５へと進み、このブロックで種々のタキシー経路レコードへのポインタを用いて使用可能なタキシーウェイと接続路が決定される。種々のタキシー経路ＩＤレコードへのポインタは複数存在するであろう。本方法はブロック８６へと続き、このブロックで種々のタキシーウェイと接続路がメニューの選択肢として表示スクリーンに表示される。ブロック８７ではユーザの入力が受け取られ、所望のタキシーウェイ或いは接続路が特定される。
【００３９】
本方法は判定ブロック８８へと続き、このブロックで、選択したタキシーウェイ或いは接続路が終端区間であるかが確認される。例えば、選択肢がゲートの場合、タキシー経路計画は完成したとみなされ、プロセスは終了する。そうでない場合は、プロセスはブロック８４へと戻り、適切な対応するタキシーポイントレコードが再び取り出される。このプロセスは、タキシー計画が完成するまで、或いはパイロットが通常の終端ポイントに到達する前に計画を終了するまで続けられる。タキシー経路の選択が終了すると、この経路はブロック８９においてＨＤＤに表示され、空港の地図上に重ね合わされる。従って、パイロットの位置認識が改善される。
【００４０】
添付の請求項によって定義された本発明の精神或いは範囲から逸脱することなく本明細書に記載した本発明の好ましい実施形態に対して種々の変更を加え得ることは当業者であれば分かるであろう。
【図面の簡単な説明】
【００４１】
【図１】本発明に係るタキシー計画システムの一実施形態のブロック図である。
【図２】ＭＣＤＵに表示された本発明による出発／到着インデックスページである。
【図３】本発明による出発タキシー計画ページである。
【図４】本発明による到着タキシー計画ページの例である。
【図５】本発明による到着タキシー計画ページの例である。
【図６Ａ】本発明の一実施形態のリンクされたリストを含むテーブルを示す。
【図６Ｂ】本発明の一実施形態のリンクされたリストを含むテーブルを示す。
【図７】本発明の一実施形態のリンクされたリストを示す。
【図８】リンクされたリストを利用して検索を行なうアルゴリズムのフローチャートである。
【符号の説明】
【００４２】
１０  タキシー計画システム
１１Ａ  プロセッサ
１２  多機能コントロール表示ユニット（ＭＣＤＵ）
１２Ａ  表示スクリーン
１３  航法データベース
１４  ヘッドアップディスプレイ（ＨＵＤ）
１５  電子飛行計器システム（ＥＦＩＳ）
１９  ライン選択キー（ＬＳＫ）
【図１】
2005512178.tif 000003
【図２】
2005512178.tif 000004
【図３】
2005512178.tif 000005
【図４】
2005512178.tif 000006
【図５】
2005512178.tif 000007
【図６Ａ】
2005512178.tif 000008
【図６Ｂ】
2005512178.tif 000009
【図７】
2005512178.tif 000010
【図８】
2005512178.tif 000011
【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
航空機タキシー計画システムであって、
表示スクリーンと選択インプットを含むユーザインターフェイスと、
空港タキシーデータを記憶するデータ記憶装置と、
前記表示スクリーン及び前記選択インプットに接続されたプロセッサと
を含み、前記プロセッサが使用可能なタキシー区間のメニューを前記空港タキシーデータの関数として生成し、前記タキシー区間が航空機の位置として適切であり、前記プロセッサが前記メニューを前記表示スクリーンに伝達する、航空機タキシー計画システム。
【請求項２】
前記空港タキシーデータが滑走路データ、タキシーウェイデータ、及びゲートデータを含む、請求項１に記載の航空機タキシー計画システム。
【請求項３】
前記データ記憶装置が予め定義された標準タキシールートを記憶する、請求項１に記載の航空機タキシー計画システム。
【請求項４】
前記空港タキシーデータがリンクされたリストとして記憶される、請求項１に記載の航空機タキシー計画システム。
【請求項５】
表示スクリーンがヘッドダウン表示システムを含む、請求項１に記載の航空機タキシー計画システム。
【請求項６】
表示スクリーンがヘッドアップ表示システムを含む、請求項１に記載の航空機タキシー計画システム。
【請求項７】
表示スクリーンが、電子飛行計器システム、ヘッドアップディスプレイ、トランスポンダ、及び無線通信システムから成る群から選ばれる、請求項１に記載の航空機タキシー計画システム。
【請求項８】
前記ユーザインターフェイスが多機能コントロール表示ユニットを含む、請求項１に記載の航空機タキシー計画システム。
【請求項９】
前記プロセッサが飛行管理コンピュータを含む、請求項１に記載の航空機タキシー計画システム。
【請求項１０】
航空機タキシー計画方法であって、
空港における航空機の位置を示す航空機位置データを受け取る段階と、
前記航空機位置データに適した第一のタキシー区間メニューを生成する段階と、
前記第一のタキシー区間メニューから選択したタキシー区間を示すタキシー区間選択信号を受け取る段階と、
前記選択したタキシー区間に適した第二のタキシー区間メニューを生成する段階と、
前記選択したタキシー区間を示すタキシー経路を生成する段階と、
前記タキシー経路を示すタキシー経路信号を表示システムに伝達する段階と
を含む、方法。
【請求項１１】
前記空港における目的地の位置を示す航空機目的地データを受け取る段階を更に含む、請求項１０に記載の航空機タキシー計画方法。
【請求項１２】
第一の生成段階が標準タキシールートの生成を含む、請求項１０に記載の航空機タキシー計画方法。
【請求項１３】
メニューを生成する段階が空港タキシーデータのリンクされたリストを検索することを含む、請求項１０に記載の航空機タキシー計画方法。
【請求項１４】
前記リンクされたリストがタキシーポイントテーブルを含む、請求項１３に記載の航空機タキシー計画方法。
【請求項１５】
前記リンクされたリストがタキシー経路ＩＤテーブルを含む、請求項１３に記載の航空機タキシー計画方法。
【請求項１６】
前記タキシー経路を地上コントロールシステムに送信する段階を更に含む、請求項１０に記載の航空機タキシー計画方法。
【請求項１７】
前記リンクされたリストがポイントタイプフィールドを含む、請求項１３に記載の航空機タキシー計画方法。
【請求項１８】
前記ポイントタイプフィールドが「待機」値を含む、請求項１７に記載の航空機タキシー計画方法。
【請求項１９】
前記「待機」値に関連するタキシーポイントに前記航空機が近づいた時に、パイロットに行動を起こすことを要請する段階を更に含む、請求項１８に記載の航空機タキシー計画方法。
【請求項２０】
前記表示システムがヘッドダウンシステム及びヘッドアップシステムから成る群から選択される、請求項１０に記載の航空機タキシー計画方法。
【請求項２１】
前記プロセッサが前記空港タキシーデータ及び先に選択したタキシー区間の関数として、使用可能なタキシー区間のメニューを生成する、請求項１に記載の航空機タキシー計画システム。
【国際調査報告】
2005512178.tif 000012
2005512178.tif 000013